(57)【要約】【課題】カメラヘッドが移動できるようにカメラ本体に連結されたカメラの操作性を向上させる。【解決手段】カメラ１００は、カメラ本体１０と、該カメラ本体１０に対して移動可能に連結されたカメラヘッド２０とを備えて構成されている。カメラ本体１０およびカメラヘッド２０は、バッテリーから供給される電源によって作動するように構成されている。カメラヘッド２０は、撮影レンズ光学系２００２、撮像素子２００４、ビューファインダ装置２００８、フラッシュライト２０１０、フラッシュ駆動部、ＡＦ補助光光源２０１４などを備えて構成されている。カメラ本体１０は、表示部としてのモニタなどを備えて構成されている。カメラヘッド２０のケース２０２２は、上部の両側が左右の軸支部２０４４、２０４６を介して凹部１０３３の両側面に揺動可能に結合されている。【選択図】　　　　図１
2004054154.tif 000002
【特許請求の範囲】
【請求項１】
撮影レンズ光学系および撮像素子を有し、収納位置と撮影位置との間を移動できるようにカメラヘッドがカメラ本体に連結されたカメラにおいて、
前記カメラヘッドの位置に応じて前記撮像素子への電源の供給、停止を行なう電源供給制御手段が設けられている、
ことを特徴とするカメラ。
【請求項２】
カメラ本体と、
撮影レンズ光学系を有し、収納位置と撮影位置との間を移動できるように前記カメラ本体に連結されたカメラヘッドと、
前記撮影レンズ光学系によって撮影された被写体像を検出する撮像素子と、
前記撮像素子から出力される画像信号に基づいて画像データの生成および処理を行なう画像処理手段と、
前記画像処理手段で生成された前記画像データに基づく画像の表示を行なう表示部とを備え、
前記表示部、撮像素子および画像処理手段は電源が供給されることによって作動するように構成されたカメラにおいて、
前記表示部、撮像素子および画像処理手段に対して電源の供給、停止を行なう電源供給制御手段が設けられ、
前記電源供給制御手段は、前記カメラヘッドの位置に応じて電源の供給、停止を行なうように構成されている、
ことを特徴とするカメラ。
【請求項３】
前記電源供給制御手段は、前記カメラヘッドが前記収納位置に位置した状態で前記表示部、撮像素子および画像処理手段に対して電源供給を停止し、前記カメラヘッドが前記収納位置から移動した状態で電源供給を行なうように構成されていることを特徴とする請求項２記載のカメラ。
【請求項４】
前記撮影位置は、前記撮影レンズ光学系の撮影範囲内に前記カメラ本体が入らない位置であることを特徴とする請求項２記載のカメラ。
【請求項５】
前記カメラヘッドは軸支部を介して前記カメラ本体に揺動可能に連結され、前記軸支部は軸部を有し、前記軸部には該軸部の周方向に沿って第１カム部が第１角度範囲にわたって延在形成され、前記第１カム部で押圧されることで第１検出信号を出力する第１スイッチが設けられ、前記電源供給制御手段による前記電源の供給、停止は前記第１検出信号に基づいて行なわれるように構成されていることを特徴とする請求項２記載のカメラ。
【請求項６】
前記カメラヘッドは軸支部を介して前記カメラ本体に揺動可能に連結され、前記軸支部は軸部を有し、前記軸部には該軸部の周方向に沿って第２カム部が第２角度範囲にわたって延在形成され、前記第２カム部で押圧されることで第２検出信号を出力する第２スイッチが設けられ、前記画像処理手段は、前記第２検出信号に基づいて前記表示部に表示される画像が鏡面表示となるように前記画像データの処理を行なうように構成されていることを特徴とする請求項２記載のカメラ。
【請求項７】
前記カメラヘッドは軸支部を介して前記カメラ本体に揺動可能に連結され、前記軸支部はクリック機構を備え、前記クリック機構は、凸部と、この凸部に係合可能で前記軸支部を中心とする円周上に間隔をおいて設けられた複数の凹部とを備え、前記凸部と凹部とは前記収納位置において係合するとともに撮影位置において係合するように構成されていることを特徴とする請求項２記載のカメラ。
【請求項８】
前記クリック機構における凸部と凹部は、前記カメラヘッドが収納位置に位置した状態で最も大きな力で係合するように構成されていることを特徴とする請求項７記載のカメラ。
【発明の詳細な説明】
【０００１】
【発明の属する技術分野】
本発明は、撮影レンズ光学系を有するカメラヘッドがカメラ本体に対して移動可能に連結されたカメラに関する。
【０００２】
【従来の技術】
撮影レンズ光学系を有するカメラヘッドがカメラ本体に対して移動可能に連結されたカメラがある。
このようなカメラでは、非使用時に、カメラヘッドをカメラ本体の収納位置に位置させ、使用時に、カメラヘッドを収納位置から撮影位置に移動させ、撮影を行なうように構成されている。
そして、撮影するときは電源スイッチをオンし、撮影を行なわないときには電源スイッチをオフするようにしている。
【０００３】
【発明が解決しようとする課題】
したがって、この種のカメラでは、カメラヘッドの移動と電源スイッチのオンオフ動作の２つを行なわなくてはならず、操作性に劣る不具合があった。
本発明は、このような実状に鑑みてなされたものであり、その目的とするところは、カメラヘッドが移動できるようにカメラ本体に連結されたカメラの操作性を向上させることにある。
【０００４】
【課題を解決するための手段】
本発明のカメラは、前記目的を達成するため、撮影レンズ光学系および撮像素子を有し、収納位置と撮影位置との間を移動できるようにカメラヘッドがカメラ本体に連結されたカメラにおいて、前記カメラヘッドの位置に応じて前記撮像素子への電源の供給、停止を行なう電源供給制御手段が設けられていることを特徴とする。
そのため、本発明のカメラによれば、カメラヘッドの位置に応じて撮像素子への電源の供給、停止が行なわれる。
また、本発明は、カメラ本体と、撮影レンズ光学系を有し、収納位置と撮影位置との間を移動できるように前記カメラ本体に連結されたカメラヘッドと、前記撮影レンズ光学系によって撮影された被写体像を検出する撮像素子と、前記撮像素子から出力される画像信号に基づいて画像データの生成および処理を行なう画像処理手段と、前記画像処理手段で生成された前記画像データに基づく画像の表示を行なう表示部とを備え、前記表示部、撮像素子および画像処理手段は電源が供給されることによって作動するように構成されたカメラにおいて、前記表示部、撮像素子および画像処理手段に対して電源の供給、停止を行なう電源供給制御手段が設けられ、前記電源供給制御手段は、前記カメラヘッドの位置に応じて電源の供給、停止を行なうように構成されていることを特徴とする。
そのため、本発明のカメラによれば、カメラヘッドの位置に応じて表示部、撮像素子および画像処理手段への電源の供給、停止が行なわれる。
【０００５】
【発明の実施の形態】
以下、本発明によるカメラの実施の形態を図面に基づいて詳細に説明する。
図１は本発明の第１実施の形態におけるカメラを前方から見た斜視図、図２はカメラを後方から見た斜視図、図４は本発明の第１実施の形態におけるカメラの構成を示すブロック図である。
図１、図２に示すように、カメラ１００は、カメラ本体１０と、該カメラ本体１０に対して移動可能に連結されたカメラヘッド２０とを備えて構成されている。
また、前記カメラ本体１０およびカメラヘッド２０は、バッテリー３２（図３参照）から供給される電源によって作動するように構成されている。
図４に示すように、前記カメラヘッド２０は、撮影レンズ光学系２００２、撮像素子２００４、カメラ信号処理部２００６、ビューファインダ装置２００８、フラッシュライト２０１０、フラッシュ駆動部２０１２、ＡＦ補助光光源２０１４、ＬＥＤ駆動部２０１６などを備えて構成されている。
前記撮影レンズ光学系２００２は、被写体像を撮影するための撮影レンズを含んで構成されている。
前記撮像素子２００４は、前記撮影レンズ光学系２００２で撮影された被写体像を検出することにより画像信号を生成出力するように構成されている。
前記カメラ信号処理部２００６は、前記撮像素子２００４から出力される画像信号に必要な処理を行なうことにより画像データを生成出力するように構成されている。
【０００６】
前記ビューファインダ装置２００８は、撮影しようとする被写体像を視認するためのものであり、対物レンズと接眼レンズを含んで構成されており、本実施の形態では、被写体像を表示させる液晶表示器を有しない光学式として構成されている。
前記フラッシュライト２０１０は、被写体像に光を照射するように構成されている。
前記フラッシュ駆動部２０１２は、前記フラッシュライト２０１０に駆動信号を供給することによりフラッシュライト２０１０を発光させるように構成されている。
前記ＡＦ補助光光源２０１４は、被写体像が暗い場合に該被写体像に光を照射することにより、前記撮影レンズ光学系２００２のオートフォーカス動作を可能とするものであり、本実施の形態では、ＬＥＤによって構成されている。
前記ＬＥＤ駆動部２０１６は、前記ＡＦ補助光光源２０１４に駆動信号を供給することにより前記ＡＦ補助光光源２０１４を発光させるように構成されている。
【０００７】
前記カメラ本体１０は、表示部としてのモニタ１００２、モニタ駆動部１００４、メモリデバイス用のコネクタ１００６、メモリデバイス用のインターフェイス部１００８、外部通信用のコネクタ１０１０、外部通信用のインターフェース部１０１２、操作部１０１４、スピーカ１０１６、スピーカ駆動部１０１８、アンテナ１０２０、ブルーツース信号処理部１０２２、ブルーツース通信用のインターフェース部１０２４、メモリ１０２６、画像信号処理部１０２８、制御部１０３０、第１スイッチ１０７０、第２スイッチ１０７２を備えて構成されている。
前記第１、第２スイッチ１０７０、１０７２は、前記カメラヘッド２０の位置に応じてオンオフ動作して第１、第２検出信号Ｓ１、Ｓ２を出力するように構成されている。
前記モニタ１００２は、被写体像などの画像データや文字データなどを表示するものであり、本実施の形態では液晶表示器によって構成されている。
前記モニタ駆動部１００４は、前記画像信号処理部１０２８から供給される画像データや文字データに基づいて駆動信号を生成して前記モニタ１００２に供給することによりモニタ１００２に表示を行なわせるように構成されている。
前記コネクタ１００６は、画像データを含むデータを記憶するメモリデバイス３０に接続可能に構成されている。
【０００８】
前記インターフェイス部１００８は、前記コネクタ１０１０に接続されたメモリデバイス３０との間で画像データを含むデータの授受を行なうように構成されている。
前記外部コネクタ１０１０は、不図示のクレードル（置き台）に前記カメラ本体１０を載置した時に、前記クレードル側のコネクタと接続されるように構成され、前記クレードル側のコネクタを介してパーソナルコンピュータなどの情報処理装置との間で通信が可能となるように構成されている。
前記インターフェイス部１０１２は、前記外部コネクタ１０１０を介した情報の通信を司るように構成されている。
前記操作部１０１４は、各種操作を行なうための複数の操作スイッチや操作ボタンを含んで構成されている。
前記スピーカ１０１６は、操作に対応した操作確認音などを発音するように構成されている。
前記スピーカ駆動部１０１８は、前記スピーカ１０１６に駆動信号を供給することにより前記スピーカ１０１６を発音させるように構成されている。
前記アンテナ１０２０は、無線信号としてのブルーツース信号の送受信を行なうように構成されている。
前記ブルーツース信号処理部１０２２は、前記アンテナ１０１２０を介して前記ブルーツース信号の送信および受信の処理を行なうように構成されている。
前記インターフェース部１０２４は、前記ブルーツース信号の送受信の制御を行なうように構成されている。
前記メモリ１０２６は、前記カメラ１００の動作を行なうために必要な種々のデータを格納するように構成されている。
前記画像信号処理部１０２８は、前記カメラ信号処理部２００６から入力される画像データに対して必要な処理を行ない、処理後の画像データを前記インターフェイス部１００８、１０１２、１０２４、メモリ１０２６に供給するように構成されている。
【０００９】
前記制御部１０３０は、前記フラッシュ駆動部２０１２、ＬＥＤ駆動部２０１６、スピーカ駆動部１０１８、インターフェイス部１０２４の制御を行なうとともに、前記操作部１０１４から供給される入力信号に基づいて必要な制御を行なうように構成されている。
また、前記制御部１０３０は、前記第１スイッチ１０７０から供給される第１検出信号Ｓ１に基づいて前記モニタ１００２、撮像素子２００４、カメラ信号処理部２００６、画像信号処理部１０２８に対する電源供給のオン、オフを制御するように構成されている。
また、前記制御部１０３０は、前記第２スイッチ１０７２から供給される第２検出信号Ｓ２に基づいて前記モニタ１００２に表示する画像を、通常の表示または左右反転した鏡面表示の何れかに切り換えるように前記画像信号処理部１０２８に対する制御を行なうように構成されている。
【００１０】
図１、図２に示すように、前記カメラ本体１０は、前後方向の厚さと、厚さよりも大きな上下方向の高さと、高さよりも大きな左右方向の幅とを有した板状のケース１０３２を有して構成されている。なお、説明の便宜上、本発明において左右とはカメラ１００の前方から見て左右をいうものとする。
前記ケース１０３２は、矩形状の底壁１０３４と、底壁１０３４の四辺から起立された前壁１０３６と、後壁１０３８と、左側壁１０４０と、右側壁１０４２と、これら前壁１０３６、後壁１０３８、左側壁１０４０、右側壁１０４２の上部を接続する上壁１０４４とから構成され、右側壁１０４２には上下に延在するカバー１０４８が取着されている。
【００１１】
前記ケース１０３２の上部には前記カメラヘッド２０収容用の凹部１０３３が、前後方向に貫通し上方に開放状に形成され、凹部１０３３の左側部には、前壁１０３６と、後壁１０３８と、左側壁１０４０との各上部を構成する突出部１０４６が位置し、凹部１０３３の右側部には前記カバー１０４８の上部が位置している。前記突出部１０４６の上端と前記カバー１０４８の上端は同じ高さとなるように構成され、これら突出部１０４６とカバー１０４８の上端は同一形状の円筒面で形成されている。
前記突出部１０４６の上端には、前記操作部１０１４の一部を構成するシャッタボタン１０４７が設けられている。
前記カバー１０４８の内部空間には、前記アンテナ１０２０が収容して配設されており、カバー１０４８の外面には、前記操作部１０１４の一部を構成する、ブルーツース通信を行なう際に操作するためのブルーツーススイッチ１０４９が設けられている。
【００１２】
前記底壁１０３４には、前記外部コネクター１０１０と、二次電池取り出し用の蓋１０５０と、スピーカー用の孔１０５２と、三脚取付用のねじ部１０５４とが設けられている。
前記蓋１０５０は、前記底壁に形成された不図示の二次電池収容部の開口を閉塞するものである。前記二次電池は前記メモリ１０２６のデータのバックアップ用の電源を供給するものである。
また、前記蓋１０５０および前記底壁１０３４にわたって前記カメラ１００の型番号や製造番号などが表示された機銘板１０５６が接着剤などによって取着されている。したがって、前記カメラ１００を廃棄する際には前記機銘板１０５６を底壁１０３４から剥がした後、前記蓋１０５０を開放してから前記二次電池を取り外して廃棄するように構成されている。
前記スピーカ用の孔１０５２は、前記カメラ本体１０の内部に配設された前記スピーカ１０１６の音をカメラ本体１０の外方に伝達するためのものである。
前記三脚取付用のねじ部１０５４は、前記カメラ本体１０を三脚の雄ねじに螺合するための雌ねじとして形成されている。
【００１３】
前記後壁１０３８には、前記モニタ１００２と、ズームボタン１０５８と、選択ボタン１０６０、１０６２と、吊り下げ金具１０６４とが設けられている。
前記モニタ１００２は、矩形状の表示面を有し、前記後壁１０３８の前記右側壁１０４２寄りの箇所に配設されている。
前記ズームボタン１０５８は、前記画像信号処理部１０２８が前記画像データに対して行なうデジタルズーム処理の広角、望遠を指定する操作を行なうためのものである。
前記選択ボタン１０６０、１０６２は、前記カメラ１００に対する種々の操作を行なうためのものである。
前記ズームボタン１０５８、選択ボタン１０６０、１０６２は前記操作部１０１４の一部を構成している。
前記吊り下げ金具１０６４は、ストラップを取付けるためのものである。
【００１４】
前記左側壁１０４０の上方寄りの箇所には、前記カメラ１００の動作モードを複数種類の撮影モード、再生モードに切り換えて設定するためのモード切換ダイアル１０６５が配設されている。
このモードダイアル１０６５の中心にはプッシュ式の電源スイッチ１０６７が設けられている。この電源スイッチ１０６７がオンオフ操作されると、前記第１スイッチ１０７０のオンオフ状態とは関係なく、前記制御部１０３０による電源供給のオンオフが行なわれる。
図３に示すように、前記左側壁１０４０の下半分には、前記メモリデバイス３０を収容するメモリデバイス収容部１０６４と、前記バッテリー３２を収容するバッテリー収容部１０６６とが設けられており、これら２つの収容部１０６４、１０６６はそれぞれの開口を介して外部に臨み、これら２つの開口は蓋１０６８により開閉される。
【００１５】
前記カメラヘッド２０は、ケース２０２２を有して構成され、前記ケース２０２２は、上部の両側が左右の軸支部２０４４、２０４６を介して前記凹部１０３３の両側面に揺動可能に結合され、左右の軸支部２０４４、２０４６によってカメラヘッド２０を揺動させる回転軸線が形成されている。
前記ケース２０２２は、矩形状の下壁２０２４と、下壁２０２４の四辺から起立された前壁２０２６と、後壁２０２８と、左側壁２０３０と、右側壁２０３２と、これら前壁２０２６、後壁２０２８、左右の側壁２０３０、２０３２の上部を接続する上壁２０３４とを備えて構成されている。
前記ケース２０２２は前記凹部１０３３に収容した際に前記カメラ本体１０とあたかも一体的となるように、前記ケース１０３２と同じ厚さで形成され、また上部が前記突出部１０４６とカバー１０４８の円筒面と同一形状の円筒面で形成されている。
前記ケース２００２の下壁２０２４には、撮影レンズ用窓２０２２Ａ、ビューファインダ用窓２０２２Ｂ、ＡＦ補助光光源用窓２０２２Ｄ、フラッシュライト用窓２０２２Ｅが開口されている。
前記ケース２０２２の上壁２０３４には、接眼用窓２０２２Ｃが開口されている。
【００１６】
前記ケース２０３２の内部には、図６に示すように、ハウジング２０３６と、基板２０３８と、円柱状のコンデンサ２０４０とが取着され、また、前記ケース２０２２の内部には、前記撮影レンズ光学系２００２、ビューファインダ装置２００８、フラッシュライト２０１０、ＡＦ補助光光源２０１６、インジケータランプ２０１７（図２参照）が配設されている。
前記撮影レンズ光学系２００２、撮像素子２００４、ビューファインダ装置２００８は、前記ハウジング２０３６に保持されている。
前記撮影レンズ光学系２００２は、前記ハウジング２０３６に設けられた撮影レンズ用開口と、前記撮影レンズ用窓２０２２Ａとを介してその光軸が外方に臨むように配設されている。
【００１７】
前記ビューファインダ装置２００８は、前記ハウジング２０３６に設けられた対物レンズ用開口と、前記対物レンズ用窓２０２２Ｂを介して前記対物レンズが外方に臨むとともに、前記ハウジング２０３６に設けられた接眼用開口と、前記接眼用窓２０２２Ｃを介して前記接眼レンズが外方に臨むように配設されている。
前記ＡＦ補助光光源２０１６と前記フラッシュライト２０１０は、前記基板２０３８の表面に固定され、前記コンデンサ２０４０は、前記基板２０３８の裏面に固定されている。
前記ケース２０３２の後壁２０２８に臨む前記ハウジング２０３６箇所に凹部２０４２が形成され、前記ケース２０３２内において、前記基板２０３８と前記ＡＦ補助光光源２０１６と前記コンデンサ２０４０は、これらの一部分が前記凹部２０４２に収容されるように配設されている。
前記ＡＦ補助光光源２０１６は、前記ＡＦ補助光用窓２０２２Ｄを介して外方に臨むように配設されている。
前記フラッシュライト２０１０は、前記フラッシュライト用窓２０２２Ｅを介して外方に臨むように配設されている。
そして、前記撮影レンズ光学系２００２とフラッシュライト２０１０は、前記カメラヘッド２０の回転軸線と平行な直線上に間隔をおいて並ぶように配置されている。
図２に示すように、前記インジケータランプ２０１７は、前記ケース２０２２の上壁２０３４に外方に臨むように設けられている。このインジケータランプ２０１７は、前記フラッシュライト２０１０を発光させるためのチャージ量を表示するものであり、前記フラッシュ駆動部２０１２によって点灯される。
【００１８】
前記カメラヘッド２０の左右の軸支部２０４４、２０４６のうち左側の軸支部２０４４は、図５、図７に示すように、軸部２０４８と軸受部２０５６とで構成されている。
前記軸部２０４８は、前記ケース２０２２の左側壁２０２８の上部に突設されている。
前記軸部２０４８の基部外周には円環状の凸部２０５０が形成され、また、この凸部２０５０よりも先端側の軸部２０４８箇所には第１、第２カム部２０５２、２０５４が突出形成されている。
前記軸受部２０５６は、前記凹部１０３３の左側面の内部に組み込まれた２つの軸受部材２０５８により構成されている。
前記軸部２０４８の凸部２０５０は、前記軸受部２０５６の凹溝２０６０に回転可能に支持されるように構成されている。
【００１９】
前記第１カム部２０５２は、軸部２０４８の周方向の第１角度範囲にわたって延在形成されている。
前記第２カム部２０５４は、前記第１角度範囲とは異なる軸部２０４８の周方向の第２角度範囲にわたって延在形成されている。
図８に示すように、前記軸受部２０５６の溝２０６０によって前記軸部２０３６の凸部２０３８が支持された状態で、軸受部２０５６には、軸部２０３６に臨むように前記第１スイッチ１０７０、第２スイッチ１０７２が取着されている。前記第１スイッチ１０７０は、作動片を有し、その作動片が第１カム部２０５２で押圧されることでオンし、その押圧が解除されることでオフすることにより前記第１検出信号Ｓ１を出力するように構成されている。
前記第２スイッチ１０７２は、作動片を有し、その作動片が第２カム部２０５４で押圧されることでオンし、その押圧が解除されることでオフすることにより前記第２検出信号Ｓ２を出力するように構成されている。
【００２０】
前記カメラヘッド２０の左右の軸支部２０４４、２０４６のうち右側の軸支部２０４６は、図９に示すように、ヒンジ機構２２によって構成されている。
前記ヒンジ機構２２は、固定プレート２２０２、ヒンジベース２２０４、ヒンジプレート２２０６、クリックばね２２０８、クリックプレート２２１０で構成されている。
前記固定プレート２２０２は、高さと幅を有し、高さ方向の下半部２２０２Ｃが前記カメラ本体１０の右側壁１０４２の上部に取着されることで、高さ方向の上半部２２０２Ａが前記凹部１０３３に臨むように配設される。前記固定プレーと２２０２の上部中央には矩形状の孔２２０２Ｂが形成され、該孔２２０２Ｂの両側には２つのねじ孔２２０２Ｄが形成されている。
前記ヒンジベース２２０４は、前記固定プレート２２０２の上部に取着される基部２２０４Ａを有し、前記基部２２０４Ａの固定プレート２２０２と反対側の箇所には軸部２２０４Ｂが設けられ、前記軸部２２０４Ｂの径方向の外側に円弧状の溝部２２０４Ｃが設けられている。前記溝部２２０４Ｃの延在する角度範囲は、本実施の形態では３００度となっている。
また、前記軸部２２０４Ｂの先端には、軸方向に突出する断面矩形枠状の係合凸部２２０４Ｄが設けられ、また、軸部２２０４Ｂの先端で前記係合凸部２２０４Ｄの両側には２つのねじ挿通孔２２０４Ｄが形成されている。
【００２１】
前記ヒンジプレート２２０６は、板状に形成され、その中央には前記ヒンジベース２２０４の軸部２２０４Ｂに挿通されることで軸部２２０４Ｂによって回転可能に支持される孔２２０６Ａが設けられている。ヒンジプレート２２０６の孔２２０６Ａを挟む両側箇所には係合凹部２２０６Ｂ、２２０６Ｂが形成されている。
前記ヒンジプレート２２０６の前記ヒンジベース２２０４の溝部２２０４Ｃに面した箇所には該溝部２２０４Ｃに案内されるガイドピン２２０６Ｃが突設されている。また、ヒンジプレート２２０６の下部の幅方向の両側から下方に向かって２つの取付片部２２０６Ｄが延出されている。
前記クリックばね２２０８は、厚さ方向に湾曲した円環板状に形成され、厚さ方向の一方に、すなわち前記ヒンジプレート２２０６と離れる方向に突出する１つの球面状の凸部２２０８Ａが設けられている。
また、クリックばね２２０８の外縁部には前記ヒンジプレート２２０６の２つの係合凹部２２０６Ｂにそれぞれ係合する２つの係合凸部２２０８Ｂが設けられている。
前記クリッププレート２２１０は、円板状に形成され、外周部近傍には周方向に間隔をおいて５つの凹部２２１０Ａ、２２１０Ｂ、２２１０Ｃ、２２１０Ｄ、２２１０Ｅが設けられている。これら５つの凹部は、前記クリックばね２２０８の凸部２２０８Ａに係脱されるように形成されている。
本実施の形態では、前記クリックプレート２２１０の中心軸から見た前記５つの凹部の角度位置は、次のように設定されている。すなわち、前記凹部２２１０Ａを０度とすると、凹部２２１０Ｂが９０度、凹部２２１０Ｃが１８０度、凹部２２１０Ｄが２７０度、凹部２２１０Ｅが３００度である。
【００２２】
図１１（Ａ）、（Ｂ）は、前記クリックばね２２０８の凸部２２０８Ａと、クリックプレート２２１０の５つの凹部２２１０Ａ乃至２２１０Ｅとの関係を示す要部断面図である。
前記５つの凹部２２１０Ａ乃至２２１０Ｅのうちの１つの凹部、例えば凹部２２１０Ａの深さは、図１１（Ａ）、（Ｂ）に示すように、他の残りの凹部２２１０Ｂ乃至２２１０Ｅよりも大きな寸法となるように設定されている。
前記クリックプレート２２１０の中央には前記ヒンジベース２２０４の係合凸部２２０４Ｄと係合する係合孔２２１０Ｆが形成されている。また、前記係合孔２２１０Ａの両側に２つのねじ挿通孔２２１０Ｇが形成されている。
【００２３】
前記ヒンジ機構２２の組立ては、次のように行なわれる。
前記固定プレート２２０２の上部２２０２Ａに前記ヒンジベース２２０４、ヒンジプレート２２０６、クリックばね２２０８、クリックプレート２２１０をこの順番で重ねる。
ここで、前記ヒンジプレート２２０６の孔２２０６Ａにヒンジベース２２０４の軸部２２０４Ｂを挿通し、かつ、ヒンジプレート２２０６のガイドピン２２０６Ｃを前記ヒンジベース２２０４の溝部２２０４Ｃ内に位置させる。
また、前記クリックばね２２０８の係合凸部２２０８Ｂを前記ヒンジプレート２２０６の係合凹部２２０６Ｂに係合させる。
この状態で、２つのねじ２２１２を前記クリックプレート２２１０の各ねじ挿通孔２２１０Ｇとヒンジベース２２０４の各ねじ挿通孔２２０４Ｄを介して前記固定プレート２２０２の各ねじ孔２２０２Ｄに螺合する。
これにより、前記ヒンジプレート２２０６およびクリックばね２２０８が、前記固定プレート２２０２、ヒンジベース２２０４、クリックプレート２２１０に対して揺動可能に支持され、図１０に示すようにヒンジ機構２２が組み立てられる。
この際、前記クリックばね２２０８の凸部２２０８Ａが前記クリックプレート２２１０の凹部２２１０Ａ乃至２２１０Ｅのそれぞれに係合することによって前記ヒンジプレート２２０６の回転方向の位置が前記各凹部のそれぞれの位置で位置決め保持されることになる。
また、前記ヒンジプレート２２０６は、前記ガイドピン２２０６Ｃが前記ヒンジベース２２０４の溝部２２０４Ｃの延在方向に位置する２つの端部のそれぞれに当接することで軸部の回りで３００度の回転範囲の限界位置が位置決めされる。
【００２４】
このようにしてヒンジ機構２２が組立てられたならば、ヒンジ機構２２はカメラ本体１０およびカメラヘッド２０に対して次のように組付けられる。
前記ヒンジプレート２２０６の取付片部２２０６Ｄを前記カメラヘッド２０のケース２０２２の右側壁２０３２にねじで取着し、前記固定プレート２２０２の下部２２０２Ｃを前記カメラ本体１０の右側壁１０４２にねじで取着し、これにより、ヒンジ機構２２はカメラ本体１０およびカメラヘッド２０に組付けられ、前記ヒンジ機構２２は、前記カバー１０４８によって外部から覆われる。
【００２５】
次に上述のように構成されたカメラ１００の作用について説明する。
図１２はカメラ本体に対するカメラヘッドの揺動動作を示す説明図である。
（Ａ）に示すように、前記カメラヘッド２０が収納位置にある状態、すなわちカメラヘッド２０のケース２０２２の下壁２０２４がカメラ本体１０の凹部１０３３の上面に臨む位置にある状態のカメラヘッド２０の揺動角度を０度とする。この場合、前記ヒンジ機構２２のヒンジプレート２２０６の角度も０度であり、カメラヘッド２０はヒンジ機構２２によって０度の位置に保持され、所定値以上の力が加わらない限り揺動しない状態となっている。
この状態で前記第１スイッチ１０７０は、第１カム部２０５２に押圧されていないので第１検出信号Ｓ１はオフ状態であり、前記第２スイッチ２０１０も第２カム部２０５４に押圧されていないので第２検出信号Ｓ２もオフ状態となっている。したがって、制御部１０３０は、前記電源供給を停止した状態を保持している。
なお、カメラヘッド２０が収納位置にある状態では、撮影レンズ光学系２００２が臨む撮影レンズ用窓２０２２Ａや、ビューファインダ装置２００８が臨むビューファインダ用窓２０２２Ｂや、ＡＦ補助光光源２０１６が臨むＡＦ補助光用窓２０２２Ｄや、フラッシュライト２０１０が臨むフラッシュライト用窓２０２２Ｅが凹部１０３３の底面をなす前記上壁１０４４に位置し、カメラ本体１０によって覆われ、したがって、カメラヘッド２０に組み込まれた光学部材や発光部材などのカメラ構成部材がカメラ本体１０によって保護されることになる。
【００２６】
次に、撮影者がカメラ１００による撮影を行なうために、前記カメラヘッド２０を矢印方向に揺動させると、ヒンジ機構２２の凸部が凹部から外れた状態となる。図１２（Ｂ）に示すカメラヘッド２０の角度がＸ度（ケラレがなくなる範囲の角度で例えば４５度から５５度の間の任意の角度）に至るまでの間は、前記第１、第２スイッチ１０７０、２０１０は、いずれもオフ状態となっており、制御部１０３０は、前記電源供給を停止した状態を保持している。
【００２７】
前記カメラヘッド２０の角度がＸ度になると、前記第１スイッチ１０７０が第１カム部２０５２に押圧されて第１検出信号Ｓ１がオン状態なり、これにより、前記制御部１０３０は、前記電源供給を開始する。この場合、第２スイッチ１０７２はオフ状態が維持されている。
図１３に示すように、前記カメラヘッド２０の角度がＸ度よりも小さい角度にあるときには、前記撮影レンズ光学系２００２による撮影範囲に前記カメラ本体１０の箇所が映り込むケラレが生じているが、前記カメラヘッド２０の角度がＸ度以上となったときには、前記ケラレがなくなった状態となっている。
【００２８】
図１２（Ｃ）に示すように、前記カメラヘッド２０をさらに矢印方向に揺動させ、その角度が９０度となると、ヒンジ機構２２のクリックばね２２０８の凸部２２０８Ａがクリックプレート２２１０の凹部２２１０Ｂに係合した状態となる。これにより前記カメラヘッド２０の揺動姿勢が保持され、第１スイッチ２００２はオン状態が維持され、第２スイッチ１０７２はオフ状態が維持されている。この場合、図１、図１４（Ａ）に示すように、前記カメラヘッド２０は、前記撮影レンズ光学機影２００２の光軸がカメラ本体１０の前方に向いた状態となる。
したがって、撮影者は、前記モニタ１００２に表示される被写体像を視認しつつ、あるいは前記接眼窓２０２２Ｃから被写体像を視認しつつ撮影を行なうことができる。
【００２９】
図１２（Ｄ）に示すように、前記カメラヘッド２０をさらに矢印方向に揺動させ、その角度が１８０度となると、ヒンジ機構２２のクリックばね２２０８の凸部２２０８Ａがクリックプレート２２１０の凹部２２１０Ｃに係合した状態となる。これによりカメラヘッド２０の揺動姿勢が保持され、第１スイッチ２００２はオン状態が維持され、第２スイッチ１０７２はオフ状態が維持されている。
この場合、図１、図１４（Ａ）に示すように、前記カメラヘッド２０は、前記撮影レンズ光学機影２００２の光軸がカメラ本体１０の上方に向いた状態となる。
したがって、撮影者は、前記モニタ１００２に表示される被写体像を視認しつつ撮影を行なうことができる。
【００３０】
図１２（Ｅ）に示すように、前記カメラヘッド２０をさらに矢印方向に揺動させ、その角度が２７０度となると、ヒンジ機構２２のクリックばね２２０８の凸部２２０８Ａがクリックプレート２２１０の凹部２２１０Ｄに係合した状態となる。これによりカメラヘッド２０の揺動姿勢が保持され、第１スイッチ２００２はオン状態が維持されているが、第２スイッチ１０７２は第２カム部２０５４によってオフ状態からオン状態に切り替わる。これにより、オン状態の第２検出信号Ｓ２を入力した前記制御部１０３０は、前記モニタ１００２に表示される画像を鏡面表示に切り換える。
この場合、図１４（Ｂ）に示すように、前記カメラヘッド２０は、前記撮影レンズ光学系２００２の光軸がカメラ本体１０の後方に向いた状態となる。
したがって、撮影者は、カメラ本体１０の後方に位置した状態で、前記撮影レンズ光学系２００２の光軸を撮影者自身に向けるとともに、前記モニタ１００２に表示される被写体像である自らを視認しつつ対面撮影を行なうことができる。また、この場合、前記カメラ本体１０の後方を被写体に向け、すなわちカメラヘッド２０の撮影レンズ光学系２００２の光軸およびモニタ１００２の表示面の双方を被写体に向け、撮影者がカメラ本体１０の前方側からカメラヘッド２０の接眼窓２０２２Ｃによって被写体を視認しつつ撮影を行なうこともできる。
【００３１】
図１２（Ｆ）に示すように、前記カメラヘッド２０をさらに矢印方向に揺動させ、その角度が３００度となると、ヒンジ機構２２のクリックばね２２０８の凸部２２０８Ａがクリックプレート２２１０の凹部２２１０Ｅに係合した状態となる。これによりカメラヘッド２０の揺動姿勢が保持され、第１、第２スイッチ１０７０、１０７２はともにオン状態に維持されている。これにより、前記モニタ１００２に表示される画像は鏡面表示のまま維持されている。
この場合、図１４（Ｆ）に示すように、前記カメラヘッド２０は、前記撮影レンズ光学系２００２の光軸がカメラ本体１０の後方からやや下方に向いた状態となる。
したがって、撮影者は、前記カメラ１００の後方に、かつ、カメラ１００よりも下方に位置した状態で、前記撮影レンズ光学系２００２の光軸を撮影者自身に向けるとともに、前記モニタ１００２に表示される被写体像である自らを視認しつつ対面撮影を行なうことができる。
【００３２】
また、撮影が終了した後、前記カメラヘッド２０を揺動させ図１４（Ａ）に示す収納位置に戻すと、前記第１スイッチ１０７０からの第１検出信号Ｓ１がオフ状態となり、これにより前記制御部１０３０により前記電源供給が停止される。
【００３３】
本実施の形態では、前記カメラヘッド２０が前記Ｘ度乃至３００度の範囲に位置した状態では前記カメラ１００による撮影が可能な状態となっており、前記Ｘ度乃至３００度の範囲のカメラヘッド２０の位置が特許請求の範囲の撮影位置に相当している。
また、本実施の形態では、前記カメラ信号処理部２００６、画像信号処理部１０２８、制御部１０３０によって特許請求の範囲の画像処理手段が構成されている。
また、第１、第２カム部２０５２、２０５４、第１、第２スイッチ１０７０、１０７２、制御部１０３０によって特許請求の範囲の電源供給制御手段が構成されている。
また、ヒンジ機構２２によって特許請求の範囲のクリック機構が構成されている。
【００３４】
上述した本実施の形態によれば、カメラヘッド２０が収納位置に位置した状態では、モニタ１００２、撮像素子２００４、カメラ信号処理部２００６、画像信号処理部１０２８に対する電源供給がオフされ、カメラヘッド２０を収納位置からＸ度乃至３００度の角度範囲である撮影位置に位置させると、前記電源供給がオンされる。
したがって、カメラヘッド２０を収容位置と撮影位置に揺動させることにより、すなわち、撮影時に必要なカメラヘッド２０の揺動操作のみによって電源のオンオフを行なうことができ、電源スイッチ１０６７の操作を不要ならしめ、カメラの操作性を向上させる上で有利となる。
【００３５】
また、本実施の形態では、カメラヘッド２０が、撮影レンズ光学系２００２にケラレが生じない位置に位置した状態で電源供給がオンされるため、ケラレの生じた画像を撮影することを確実に防止する上でも有利となる。
また、カメラヘッド２０が対面撮影可能な撮影位置に位置したときに、モニタ１００２に表示される画像を鏡面表示に切り換えるようにしたので、鏡面表示を行なうための操作が不要となり、カメラの操作性を向上する上で有利となる。
また、ヒンジ機構２２において、１つの凹部２２１０Ａの深さを残りの凹部２２１０Ｂ乃至２２１０Ｅよりも大きな寸法となるように設定したので、収納位置に位置しているカメラヘッド２０を他の撮影位置に揺動させるときに必要な力は、他の位置（カメラヘッド２０の角度位置が９０度、１８０度、２７０度、３００度）にあるカメラヘッド２０を揺動させるときに必要な力よりも大きくなる。したがって、カメラヘッド２０が収納位置から不用意に撮影位置に移動することを防止する上でも有利となる。
また、カメラヘッド２０を収納位置から他の撮影位置に揺動させる際の操作感のみが他の場合に比較して重くなることにより、電源供給がオンしたということを使用者に意識させることができる利点もある。
【００３６】
また、カメラヘッド２０に、撮影レンズ光学系２００２の他にビューファインダ装置２００８、フラッシュライト２０１０、ＡＦ補助光光源２０１６を設けたので、図１４（Ａ）に示すように、撮影レンズ光学系２００２の光軸がカメラ本体１０の前方を向いた通常撮影状態でも、図１４（Ｂ）に示すように、撮影レンズ光学系２００２の光軸がカメラ本体１０の後方を向いた対面撮影状態でも、被写体に対してビューファインダ装置２００８、フラッシュライト２０１０、ＡＦ補助光光源２０１６を向けることができる。したがって、何れの状態であってもこれらビューファインダ装置２００８、フラッシュライト２０１０、ＡＦ補助光光源２０１６を用いた撮影を行なうことができる。
また、撮影レンズ光学系２００２とフラッシュライト２０１０をカメラヘッド２０の回転軸線と平行な直線上に間隔をおいて並ぶように配置したので、図１４（Ａ）、（Ｂ）に示すように、被写体に対する撮影レンズ光学系２００２の光軸とフラッシュライト２０１０との位置関係が変化せず、通常撮影および対面撮影の何れの場合でも被写体に対するフラッシュライト２０１０の照射状態を変えることなく撮影を行なうことができる。
なお、図１５に示すように、撮影レンズ光学系２００２と、フラッシュライト２０１０と、ＡＦ補助光光源２０１６と、ビューファインダ用窓２０２２Ｂとをカメラヘッド２０の回転軸線と平行な直線上に間隔をおいて並ぶように配置してもよい。
この場合には、被写体に対する撮影レンズ光学系２００２の光軸に対する、フラッシュライト２０１０、ＡＦ補助光光源２０１６、ビューファインダ装置２００８の対物レンズの位置関係の全てが、通常撮影および対面撮影の何れの場合でも変らない。これにより、通常撮影および対面撮影の何れの場合でも被写体に対するフラッシュライト２０１０の照射状態、ＡＦ補助光光源２０１６の照射状態、およびビューファインダ装置２００８による被写体の見え方を変えることなく撮影を行なうことができる。
【００３７】
また、本実施の形態では、カメラヘッド２０のケース２０３２に収容されるハウジング２０３６箇所に形成した凹部２０４２に、基板２０３８とＡＦ補助光光源２０１６とコンデンサ２０４０の一部分が収容されるように構成した。
したがって、カメラヘッド２０のケース２０３２のスペースを有効に活用することができ、カメラヘッド２０の小型化を図る上で有利となる。
【００３８】
また、前記ヒンジ機構２２のクリックプレート２２１０の凹部２２１０Ａの深さを他の凹部２２１０Ｂ乃至２２１０Ｅよりも大きな寸法とすることに代えて、図１１（Ｃ）に示すように、前記クリックプレート２２１０の厚さ方向に貫通する切欠や孔２２１０Ａ１を設け、前記クリックばね２２０８の凸部２２０８Ａが前記切欠や孔２２１０Ａ１から外れる際に必要となる力が、図１１（Ｄ）に示すように、他の凹部２２１０Ｂ乃至２２１０Ｅから凸部２２０８Ａが外れる際に必要となる力よりも大きくなるように構成してもよい。
また、カメラヘッド２０の揺動時に必要な力を大きく設定する位置は、収納位置以外の位置でもかまわない。
また、本実施の形態では、前記カメラヘッド２０をカメラ本体１０の凹部１０３３の両側に設けた２つの軸支部２０４４、２０４６で揺動可能に連結する構成としたが、前記軸支部が一つのみ設けられた構成、すなわちカメラヘッド２０が片持ちで支持される構成であってもよい。
【００３９】
また、本実施の形態では、ビューファインダ装置２００８によって被写体を視認するものとしてのみ説明したが、ビューファインダ装置２００８内に画角や撮影状態あるいは種々の警告などの情報を表示する表示手段を設けてもよいことはもちろんである。
この場合、カメラヘッド２０の位置を対面撮影のために揺動させたときに、前記表示手段による表示の上下が逆になってしまう。したがって、前記表示手段を例えば液晶表示装置などで構成し、カメラヘッド２０が対面撮影のために揺動されたことに伴い、前記液晶表示装置で表示される各種情報の表示される方向を上下反転させるようにしてもよい。
また、実施の形態では、カメラヘッド２０をカメラ本体に対して揺動可能に設けた場合に付いて説明したが、カメラヘッド２０の移動構成は種々考えられ、揺動のみに限定されない。
【００４０】
【発明の効果】
以上説明したように本発明によれば、カメラヘッドが移動できるようにカメラ本体に連結されたカメラの操作性を向上させることができる。
【図面の簡単な説明】
【図１】本発明の第１実施の形態におけるカメラを前方から見た斜視図である。
【図２】本発明の第１実施の形態におけるカメラを後方から見た斜視図である。
【図３】本発明の第１実施の形態におけるカメラにバッテリーとメモリデバイスを挿入する状態を示す説明図である。
【図４】本発明の第１実施の形態におけるカメラの構成を示すブロック図である。
【図５】カメラヘッドの斜視図である。
【図６】カメラヘッドに収容される部品の斜視図である。
【図７】カメラヘッドの軸支部を示す分解斜視図である。
【図８】カメラヘッドの軸支部を示す斜視図である。
【図９】ヒンジ機構の分解斜視図である。
【図１０】ヒンジ機構の組立図である。
【図１１】クリックばねの凸部と、クリックプレートの５つの凹部との関係を示す要部断面図である。
【図１２】カメラ本体に対するカメラヘッドの揺動動作を示す説明図である。
【図１３】カメラヘッドの撮影レンズ光学系の撮影範囲を示す説明図である。
【図１４】（Ａ）はカメラヘッドがカメラ本体の前方を向いた状態を示す図、（Ｂ）はカメラヘッドがカメラ本体の後方を向いた状態を示す図である。
【図１５】カメラヘッドの変形例を示す図である。
【符号の説明】
１００……カメラ、１０……カメラ本体、２０……カメラヘッド、１０２８……画像信号処理部、１０３０……制御部、２００２……撮影レンズ光学系、２００４……撮像素子、２００６……カメラ信号処理部。
【図１】
2004054154.tif 000003
【図２】
2004054154.tif 000004
【図３】
2004054154.tif 000005
【図４】
2004054154.tif 000006
【図５】
2004054154.tif 000007
【図６】
2004054154.tif 000008
【図７】
2004054154.tif 000009
【図８】
2004054154.tif 000010
【図９】
2004054154.tif 000011
【図１０】
2004054154.tif 000012
【図１１】
2004054154.tif 000013
【図１２】
2004054154.tif 000014
【図１３】
2004054154.tif 000015
【図１４】
2004054154.tif 000016
【図１５】
2004054154.tif 000017